(57)【要約】【課題】ギヤポンプをオイルタンク外に出すことなく、そのサクションフィルタの清掃が行えるようにする。【解決手段】ギヤポンプ３０のサクションフィルタ３１０を、外付けとして基台２０の外側に配置するとともに、基台２０にオイルタンク１０内の潤滑油をサクションフィルタ３１０の流入側ポートに導く第１導油パイプ２２と、サクションフィルタ３１０の流出側ポートとギヤポンプ３０の吸入口３０ａとを連結する第２導油パイプ２３とを設け、ギヤポンプ３０の運転により、オイルタンク１０内の潤滑油が第１導油パイプ２２からサクションフィルタ３１０を通って濾過された後、第２導油パイプ２３を経てギヤポンプ３０の吸入口３０ａに至るようにする。【選択図】図２
2019120129.tif 000002
【特許請求の範囲】
【請求項１】
潤滑油を貯留する上面が開放されたオイルタンクと、上記オイルタンクの上面に着脱可能に被せられる基台とを含み、上記基台に上記オイルタンク内の潤滑油を汲み上げるギヤポンプが支持されている給油ポンプにおいて、
上記ギヤポンプのサクションフィルタが上記基台の外側に配置されており、上記基台には、上記オイルタンク内の潤滑油を上記サクションフィルタの流入側ポートに導く第１導油パイプと、上記サクションフィルタの流出側ポートと上記ギヤポンプの吸入口とを連結する第２導油パイプとが設けられており、
上記ギヤポンプの運転により、上記オイルタンク内の潤滑油が上記第１導油パイプから上記サクションフィルタを通って濾過された後、上記第２導油パイプを経て上記ギヤポンプの吸入口に至ることを特徴とする給油ポンプ。
【請求項２】
上記サクションフィルタは、上記基台に対して着脱可能であり、上記基台には、上記流入側ポートと上記第１導油パイプとを連通する第１連通路と、上記流出側ポートと上記第２導油パイプとを連通する第２連通路とを含む連通路対が複数個所に設けられており、上記サクションフィルタがいずれか一つの上記連通路対に選択的に取り付けられることを特徴とする請求項１に記載の給油ポンプ。
【請求項３】
上記サクションフィルタには、そのフィルタエレメントの目詰まり状態を表示する負圧計が設けられていることを特徴とする請求項１または２に記載の給油ポンプ。
【発明の詳細な説明】
【技術分野】
【０００１】
本発明は、ギヤポンプによりオイルタンク内の潤滑油を汲み上げて所定の給油ポイントに供給する給油ポンプに関し、さらに詳しく言えば、ギヤポンプに設けられるサクションフィルタに関するものである。
【背景技術】
【０００２】
給油ポンプの多くは、図６に示すように、基本的な構成として、潤滑油を貯留する上面が開放されたオイルタンク１０と、オイルタンク１０の上面に蓋部材兼用として着脱可能に被せられる基台２０とを備えている。
【０００３】
基台２０には、オイルタンク１０内の潤滑油を汲み上げるポンプ手段としてのギヤポンプ３０が支持されている。この他、基台２０には、ギヤポンプ３０を駆動するモータやその電装品等を含むポンプ駆動部２１が搭載されている。
【０００４】
ギヤポンプ３０の吸入口には、潤滑油を濾過するためのサクションフィルタ３１が設けられている（例えば、特許文献１参照）。給油ポンプの運転時間に比例して、サクションフィルタ３１には、潤滑油内に含まれている夾雑物が堆積し目詰まりを起こす。したがって、定期的・不定期的にサクションフィルタ３１を清掃する必要がある。
【先行技術文献】
【特許文献】
【０００５】
【特許文献１】特開平１１−１３２３９３号公報
【発明の概要】
【発明が解決しようとする課題】
【０００６】
しかしながら、上記従来の給油ポンプにおいて、サクションフィルタ３１はギヤポンプ３０の吸入口に取り付けられているため、清掃するにあたっては、その都度、基台２０を持ち上げてギヤポンプ３０をオイルタンク１０の外に出さなければならない。この作業には、時間がかかるばかりでなく周囲を油で汚す等の問題がある。
【０００７】
したがって、本発明の課題は、ギヤポンプによりオイルタンク内の潤滑油を汲み上げて所定の給油ポイントに供給する給油ポンプにおいて、ギヤポンプをオイルタンク外に出すことなく、そのサクションフィルタの清掃が行えるようにすることにある。
【課題を解決するための手段】
【０００８】
上記課題を解決するため、本発明は、潤滑油を貯留する上面が開放されたオイルタンクと、上記オイルタンクの上面に蓋部材として着脱可能に被せられる基台とを含み、上記基台に上記オイルタンク内の潤滑油を汲み上げるギヤポンプが支持されている給油ポンプにおいて、
上記ギヤポンプのサクションフィルタが上記基台の外側に配置されており、上記基台には、上記オイルタンク内の潤滑油を上記サクションフィルタの流入側ポートに導く第１導油パイプと、上記サクションフィルタの流出側ポートと上記ギヤポンプの吸入口とを連結する第２導油パイプとが設けられており、
上記ギヤポンプの運転により、上記オイルタンク内の潤滑油が上記第１導油パイプから上記サクションフィルタを通って濾過された後、上記第２導油パイプを経て上記ギヤポンプの吸入口に至ることを特徴としている。
【０００９】
本発明には、上記サクションフィルタは、上記基台に対して着脱可能であり、上記基台には、上記流入側ポートと上記第１導油パイプとを連通する第１連通路と、上記流出側ポートと上記第２導油パイプとを連通する第２連通路とを含む連通路対が複数個所に設けられており、上記サクションフィルタがいずれか一つの上記連通路対に選択的に取り付けられる態様も含まれる。
【００１０】
また、上記サクションフィルタには、そのフィルタエレメントの目詰まり状態を表示する負圧計が設けられているとよい。
【発明の効果】
【００１１】
本発明によれば、ギヤポンプのサクションフィルタが、ギヤポンプの吸入口から離れた基台の外側に設けられているため、ギヤポンプをオイルタンク外に出すことなく、そのサクションフィルタの清掃を行うことができる。
【図面の簡単な説明】
【００１２】
【図１】本発明の実施形態に係る給油ポンプを示す正面図。
【図２】上記給油ポンプの要部を断面として示す正面図。
【図３】上記給油ポンプが備えるサクションフィルタの内部構造を示す断面図。
【図４】図３のＡ−Ａ線断面図。
【図５】サクションフィルタの取り付け位置を選択可能とした態様を示す給油ポンプの平面図。
【図６】従来例に係る給油ポンプを一部断面として示す正面図。
【発明を実施するための形態】
【００１３】
次に、図１ないし図５により、本発明の実施形態について説明するが、本発明はこれに限定されるものではない。
【００１４】
まず、図１および図２を参照して、この実施形態に係る給油ポンプは、先の図６で説明した従来例と同じく、基本的な構成として、潤滑油を貯留する上面が開放されたオイルタンク１０と、オイルタンク１０の上面に蓋部材兼用として着脱可能に被せられる基台２０とを備えている。
【００１５】
オイルタンク１０は、内部が透視し得る樹脂製であることが好ましいが、金属製のタンクであってもよい。形状は特に限定されない。また、基台２０には、好ましくはアルミ合金等のキャスティング成形体が用いられるが、これ以外の材質であってもよい。
【００１６】
基台２０には、その下面側にオイルタンク１０内の潤滑油を汲み上げるポンプ手段としてのギヤポンプ３０が支柱２５を介して吊り下げられるように支持されている。基台２０の上面側には、ギヤポンプ３０を駆動するモータ２９（図５参照）やその電装品等を含むポンプ駆動部２１が搭載されている。符号２６はギヤポンプ３０を駆動するモータ２９の駆動軸で、２７は潤滑油注入口のキャップである。
【００１７】
ギヤポンプ３０は、その吸入側にサクションフィルタを備えるが、本発明において、ギヤポンプ３０のサクションフィルタ３１０は、オイルタンク１０内ではなく、基台２０側に外付けとして配置される。この実施形態において、サクションフィルタ３１０は、基台２０の側壁面にネジ止めにより着脱可能に取り付けられている。
【００１８】
図４および図５を併せて参照して、サクションフィルタ３１０は、カップ形状のフィルタ収納容器３２０と、フィルタ収納容器３２０に被せられる着脱可能な蓋３３０とを備えている。フィルタ収納容器３２０と蓋３３０との間は、シールパッキンＰによって潤滑油が漏洩しないようにシールされている。
【００１９】
フィルタ収納容器３２０内には、円筒状のフィルタエレメント３２１が着脱可能に収納されている。潤滑油は、このフィルタエレメント３２１を通過することにより濾過されるが、この実施形態において、潤滑油はフィルタエレメント３２１の外側から内側に向けて流れることから、フィルタ収納容器３２０内のフィルタエレメント３２１の外側を上流室３２１ａ、内側を下流室３１２ｂとする。
【００２０】
蓋３３０には、フィルタエレメント３２１の上流室３２１ａに連通する流入側ポート３３１と、フィルタエレメント３２１の下流室３２１ｂに連通する流出側ポート３３３が設けられている。
【００２１】
また、蓋３３０のほぼ中央には、圧力計測用ポート３３２がフィルタエレメント３２１の下流室３２１ｂに連通するように形成されており、圧力計測用ポート３３２には、フィルタエレメント３１０の目詰まり状態を表示する負圧計３４０が取り付けられている。なお、本発明の好ましい態様では、負圧計３４０の指示値が所定の閾値を超えた場合、ブザーやランプ等で警告を報知するアラームシステムを備える。
【００２２】
この実施形態において、上記流出側ポート３３３は、圧力計測用ポート３３２を介してフィルタエレメント３２１の下流室３２１ｂに連通している。また、蓋３３０の側面（図４において右側面）には、サクションフィルタ３１０を基台２０にネジ止めする際のネジ挿通孔３３４が左右の２箇所に設けられている。
【００２３】
上記のように、サクションフィルタ３１０を基台２０に外付けするに伴って、第１および第２の２本の導油パイプ２２，２３が用いられる。
【００２４】
一方の第１導油パイプ２２は、オイルタンク１０内の潤滑油をサクションフィルタ３１０の流入側ポート３３１に導くための配管で、基台２０の下面からオイルタンク１０の底部付近の潤滑油貯留の下限レベル（図示しない）よりも下方の位置にまで延びていることが好ましい。
【００２５】
他方の第２導油パイプ２３は、サクションフィルタ３１０の流出側ポート３３３とギヤポンプ３０の吸入口３０ａとを連結する配管である。なお、図２において、第１導油パイプ２２と第２導油パイプ２３は、作図の都合上、矢印線で示されている。
【００２６】
図２に示すように、基台２０内には、第１導油パイプ２２とサクションフィルタ３１０の流入側ポート３３１とを連通する中継路としての第１連通路２２ａと、第２導油パイプ２３とサクションフィルタ３１０の流出側ポート３３３とを連通する中継路としての第２連通路２３ａとが対として設けられている。
【００２７】
この実施形態において、第１導油パイプ２２の一端（上端）は所定の管継手を介して第１連通路２２ａに接続され、また、第２導油パイプ２３の一端（上端）も所定の管継手を介して第２連通路２３ａに接続されている。第２導油パイプ２３の他端（下端）は、所定の管継手を介してギヤポンプ３０の吸入口３０ａに接続されている。ギヤポンプ３０は、吸入口３０ａ以外からは潤滑油を吸い込まない。
【００２８】
ギヤポンプ３０の吐出口３０ｂ（図２参照）は、第３導油パイプ２４を介して基台２０に設けられている吐油ポート２４ａ（図２参照）に接続されている。なお図２において、第３導油パイプ２４は、第１および第２導油パイプ２２，２３と同じく矢印線で示されている。
【００２９】
この実施形態に係る給油ポンプによれば、ギヤポンプ３０の運転により、オイルタンク１０内の潤滑油は、第１導油パイプ２２から汲み上げられ、第１連通路２２ａ、流入側ポート３３１を通ってフィルタエレメント３２１の上流室３２１ａに至り、フィルタエレメント３２１にて濾過された後、その下流室３２１ｂから流出側ポート３３３、第２連通路２３ａ、第２導油パイプ２３を経てギヤポンプ３０の吸入口３０ａに吸い込まれ、その吐出口３０ｂから第３導油パイプ２４を介して吐油ポート２４ａに送られる。
【００３０】
フィルタエレメント３２１を清掃するには、フィルタ収納容器３２０を蓋３３０から外して、その内部からフィルタエレメント３２１を取り出して清掃するか、もしくは新たなフィルタエレメントに交換すればよく、従来のように、基台２０を持ち上げてわざわざギヤポンプ３０をオイルタンク１０外に取り出す必要はない。
【００３１】
上記実施形態では、図１，図２において、基台２０の左側壁面側に第１連通路２２ａ，第２連通路２３ａの連通路対を設けているが、図５に示すように、さらに基台２０の右側壁面側にも第１連通路２２ａ，第２連通路２３ａの連通路対を追加的に設けて、サクションフィルタ３１０をそのいずれかの連通路対に取り付け可能とすることもできる。この場合、使用しない方の第１連通路２２ａ，第２連通路２３ａの連通路対は、蓋ネジにより閉塞すればよい。
【００３２】
この実施形態において、基台２０の背面側（図５では上面側）には、この給油ポンプを図示しない工作機械等に取り付ける際に用いられる取り付けフランジ２８が左右の２箇所に設けられていることから、サクションフィルタ３１０を取り付けるための第１連通路２２ａ，第２連通路２３ａは、基台２０の正面側にも設けられてよい。
【００３３】
また、吐油ポート２４ａには、例えば分配器を含む一次側の給油配管（図示しない）が接続されるが、サクションフィルタ３１０とは別に、その一次側の給油配管内に例えば特開２００１−２７１９９１号公報（特許第４７８３４８８号）に記載されているようなラインフィルタが設けられてもよい。
【符号の説明】
【００３４】
１０  オイルタンク
２０  基台
２１  ポンプ駆動部
２２  第１導油パイプ
２２ａ  第１連通路
２３  第２導油パイプ
２３ａ  第２連通路
２４  第３導油パイプ
２５  支柱
２６  駆動軸
２９  モータ
３０  ギヤポンプ
３０ａ  吸入口
３０ｂ  吐出口
３１０  サクションフィルタ
３２０  フィルタ収納容器
３２１  フィルタエレメント
３２１ａ  上流室
３２１ｂ  下流室
３３０  蓋
３３１  流入側ポート
３３２  圧力計測用ポート
３３３  流出側ポート
３４０  負圧計
【図１】
2019120129.tif 000003
【図２】
2019120129.tif 000004
【図３】
2019120129.tif 000005
【図４】
2019120129.tif 000006
【図５】
2019120129.tif 000007
【図６】
2019120129.tif 000008
【手続補正書】
【提出日】平成30年6月27日(2018.6.27)
【手続補正１】
【補正対象書類名】特許請求の範囲
【補正対象項目名】請求項１
【補正方法】変更
【補正の内容】
【請求項１】
潤滑油を貯留する上面が開放されたオイルタンクと、上記オイルタンクの上面に着脱可能に被せられる基台とを含み、上記基台に上記オイルタンク内の潤滑油をサクションフィルタにて濾過して汲み上げるギヤポンプが支持されている給油ポンプにおいて、
上記ギヤポンプの上記サクションフィルタが上記基台の外側に配置されており、上記ギヤポンプの上記サクションフィルタが配置されていた吸入部分が配管接続用の吸入口を有する部材によって覆われており、
上記サクションフィルタは、カップ状のフィルタ収納容器と、上記フィルタ収納容器に着脱可能に被せられ上記基台に取り付けられる蓋とを備え、上記フィルタ収納容器内に円筒状のフィルタエレメントが着脱可能に収納されているとともに、上記蓋には上記フィルタエレメントの上流室に連通する流入側ポートと、上記フィルタエレメントの下流室に連通する流出側ポートが設けられており、
上記基台には、上記オイルタンク内の潤滑油を上記流入側ポートに導く第１導油パイプと、上記流出側ポートと上記ギヤポンプの上記吸入口とを連結する第２導油パイプとが設けられており、
上記ギヤポンプの運転により、上記オイルタンク内の潤滑油が上記第１導油パイプから上記フィルタエレメントを通って濾過された後、上記第２導油パイプを経て上記ギヤポンプの上記吸入口に至ることを特徴とする給油ポンプ。
【手続補正２】
【補正対象書類名】明細書
【補正対象項目名】０００８
【補正方法】変更
【補正の内容】
【０００８】
上記課題を解決するため、本発明は、潤滑油を貯留する上面が開放されたオイルタンクと、上記オイルタンクの上面に着脱可能に被せられる基台とを含み、上記基台に上記オイルタンク内の潤滑油をサクションフィルタにて濾過して汲み上げるギヤポンプが支持されている給油ポンプにおいて、
上記ギヤポンプの上記サクションフィルタが上記基台の外側に配置されており、上記ギヤポンプの上記サクションフィルタが配置されていた吸入部分が配管接続用の吸入口を有する部材によって覆われており、
上記サクションフィルタは、カップ状のフィルタ収納容器と、上記フィルタ収納容器に着脱可能に被せられ上記基台に取り付けられる蓋とを備え、上記フィルタ収納容器内に円筒状のフィルタエレメントが着脱可能に収納されているとともに、上記蓋には上記フィルタエレメントの上流室に連通する流入側ポートと、上記フィルタエレメントの下流室に連通する流出側ポートが設けられており、
上記基台には、上記オイルタンク内の潤滑油を上記流入側ポートに導く第１導油パイプと、上記流出側ポートと上記ギヤポンプの上記吸入口とを連結する第２導油パイプとが設けられており、
上記ギヤポンプの運転により、上記オイルタンク内の潤滑油が上記第１導油パイプから上記フィルタエレメントを通って濾過された後、上記第２導油パイプを経て上記ギヤポンプの上記吸入口に至ることを特徴としている。
【手続補正３】
【補正対象書類名】明細書
【補正対象項目名】００１８
【補正方法】変更
【補正の内容】
【００１８】
図２および図３を併せて参照して、サクションフィルタ３１０は、カップ形状のフィルタ収納容器３２０と、フィルタ収納容器３２０に被せられる着脱可能な蓋３３０とを備えている。フィルタ収納容器３２０と蓋３３０との間は、シールパッキンＰによって潤滑油が漏洩しないようにシールされている。
【手続補正４】
【補正対象書類名】明細書
【補正対象項目名】００１９
【補正方法】変更
【補正の内容】
【００１９】
フィルタ収納容器３２０内には、円筒状のフィルタエレメント３２１が着脱可能に収納されている。潤滑油は、このフィルタエレメント３２１を通過することにより濾過されるが、この実施形態において、潤滑油はフィルタエレメント３２１の外側から内側に向けて流れることから、フィルタ収納容器３２０内のフィルタエレメント３２１の外側を上流室３２１ａ、内側を下流室３２１ｂとする。
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
潤滑油を貯留する上面が開放されたオイルタンクと、上記オイルタンクの上面に着脱可能に被せられる基台とを含み、上記基台に上記オイルタンク内の潤滑油をサクションフィルタにて濾過して汲み上げるギヤポンプが支持されている給油ポンプにおいて、
上記ギヤポンプの上記サクションフィルタが上記基台の外側に配置されており、上記ギヤポンプの上記サクションフィルタが配置されていた吸入部分が配管接続用の吸入口を有する部材によって覆われており、
上記サクションフィルタは、カップ状のフィルタ収納容器と、上記フィルタ収納容器に着脱可能に被せられ上記基台に取り付けられる蓋とを備え、上記フィルタ収納容器内に円筒状のフィルタエレメントが着脱可能に収納されているとともに、上記蓋には上記フィルタエレメントの上流室に連通する流入側ポートと、上記フィルタエレメントの下流室に連通する流出側ポートが設けられており、
上記基台には上記流入側ポートに連通する第１連通路と上記流出側ポートに連通する第２連通路とが中継路として形成されており、
上記第１連通路には上記オイルタンクの潤滑油貯留の下限レベルよりも下方の位置にまで延びていて上記オイルタンク内の潤滑油を上記流入側ポートに導く第１導油パイプが接続されているとともに、上記第２連通路には上記流出側ポートと上記ギヤポンプの上記吸入口とを連結する第２導油パイプが接続されており、
上記ギヤポンプの運転により、上記オイルタンク内の潤滑油が上記第１導油パイプから上記フィルタエレメントを通って濾過された後、上記第２導油パイプを経て上記ギヤポンプの上記吸入口に至ることを特徴とする給油ポンプ。
【手続補正２】
【補正対象書類名】明細書
【補正対象項目名】０００８
【補正方法】変更
【補正の内容】
【０００８】
上記課題を解決するため、本発明は、潤滑油を貯留する上面が開放されたオイルタンクと、上記オイルタンクの上面に着脱可能に被せられる基台とを含み、上記基台に上記オイルタンク内の潤滑油をサクションフィルタにて濾過して汲み上げるギヤポンプが支持されている給油ポンプにおいて、
上記ギヤポンプの上記サクションフィルタが上記基台の外側に配置されており、上記ギヤポンプの上記サクションフィルタが配置されていた吸入部分が配管接続用の吸入口を有する部材によって覆われており、
上記サクションフィルタは、カップ状のフィルタ収納容器と、上記フィルタ収納容器に着脱可能に被せられ上記基台に取り付けられる蓋とを備え、上記フィルタ収納容器内に円筒状のフィルタエレメントが着脱可能に収納されているとともに、上記蓋には上記フィルタエレメントの上流室に連通する流入側ポートと、上記フィルタエレメントの下流室に連通する流出側ポートが設けられており、
上記基台には上記流入側ポートに連通する第１連通路と上記流出側ポートに連通する第２連通路とが中継路として形成されており、
上記第１連通路には上記オイルタンクの潤滑油貯留の下限レベルよりも下方の位置にまで延びていて上記オイルタンク内の潤滑油を上記流入側ポートに導く第１導油パイプが接続されているとともに、上記第２連通路には上記流出側ポートと上記ギヤポンプの上記吸入口とを連結する第２導油パイプが接続されており、
上記ギヤポンプの運転により、上記オイルタンク内の潤滑油が上記第１導油パイプから上記フィルタエレメントを通って濾過された後、上記第２導油パイプを経て上記ギヤポンプの上記吸入口に至ることを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】